(57)【要約】【課題】切断した電線に起因するショートを効果的に防止する。【解決手段】（Ａ）一対のハウジング２，３間に架設される所定の電線６の中間部位（Ｃ１部）で、まず絶縁被覆１５のみを切断する。（Ｂ）各絶縁被覆１５，１５を夫々両側へ寄せるようにして収縮させ、中央に内部導体１６を露出させる。（Ｃ）この状態で、各絶縁被覆１５寄りの両側２箇所（Ｃ２部）を切断して内部導体１６を所定長さ切除する。（Ｄ）収縮させていた絶縁被覆１５，１５を元の長さに伸ばす。すると、絶縁被覆１５，１５は夫々切断された内部導体１６の端部を越えてプレート４，４間の中間部位まで伸び、内部導体１６が絶縁被覆１５によって覆われた電線布線体が得られる。【選択図】図４
2009301949.tif 000002
【特許請求の範囲】
【請求項１】
圧接端子が夫々収容された一対のハウジング間に、複数の電線が略平行に布線されて所定の前記圧接端子に圧接固定され、前記ハウジング間で所定の電線が切断されて分岐回路が形成される、圧接ジョイントコネクタによって配線される電線布線体であって、
前記切断された電線の端部では、内部導体の端部が絶縁被覆の端部よりも内側に位置していることを特徴とする電線布線体。
【請求項２】
ワイヤハーネスの布線板上に、圧接端子を夫々収容した一対のハウジングからなる圧接ジョイントコネクタをセットし、前記ハウジング間に複数の電線を略平行に布線して夫々前記圧接端子に圧接固定し、前記ハウジング間で所定の電線を切断して分岐回路を形成する電線布線方法であって、
前記一対のハウジング間において、前記切断される電線の絶縁被覆のみを切断し、切断した前記絶縁被覆を夫々両側の前記ハウジング側へ収縮させることで内部導体を露出させ、露出させた前記内部導体を所定長さ切除した後、前記両ハウジング側の前記絶縁被覆を夫々元の長さに伸ばすことを特徴とする電線布線方法。
【請求項３】
ワイヤハーネスの布線板上に、圧接端子を夫々収容した一対のハウジングからなる圧接ジョイントコネクタをセットし、前記ハウジング間に複数の電線を略平行に布線して夫々前記圧接端子に圧接固定し、前記ハウジング間で所定の電線を切断して分岐回路を形成する電線布線方法であって、
前記切断される電線を前記一対のハウジングの中間部位で切断し、切断した電線の各端部において絶縁被覆を夫々前記ハウジング側へ収縮させることで内部導体を露出させ、露出させた前記内部導体を夫々所定長さ切除した後、前記両ハウジング側の前記絶縁被覆を夫々元の長さに伸ばすことを特徴とする電線布線方法。
【請求項４】
ワイヤハーネスの布線板上に、圧接端子を夫々収容した一対のハウジングからなる圧接ジョイントコネクタをセットし、前記ハウジング間に複数の電線を略平行に布線して夫々前記圧接端子に圧接固定し、前記ハウジング間で所定の電線を切断して分岐回路を形成する電線布線方法であって、
前記一対のハウジング間において、前記切断される電線の絶縁被覆を、夫々両側の前記ハウジング側へ引張し、当該引張部分で前記電線を所定長さ切除した後、前記両ハウジング側の前記絶縁被覆を夫々元の長さに戻すことを特徴とする電線布線方法。
【発明の詳細な説明】
【技術分野】
【０００１】
本発明は、自動車のワイヤハーネスの製造に用いられる圧接ジョイントコネクタによって配線される電線布線体と、電線布線方法とに関する。
【背景技術】
【０００２】
圧接ジョイントコネクタは、例えば特許文献１に示すように、両端に電線の挿入口を複数並設したハウジング内に、電線の圧接端子を複数収容して形成されるものが知られている。この圧接端子には、隣接する一対の電線を圧接する２つの刃部が電線との直交方向で連設されており、分岐回路を形成する場合は、圧接端子を一対、電線との直交方向で電線１本分位置をずらせて配置し、３本の電線をハウジング内へ平行に挿通させて各圧接端子に２本の電線を圧接した状態で、圧接端子間の電線をニッパーやカッター等の工具で切断する。これにより、分岐数が２つの分岐回路が２組得られることになる。
【０００３】
【特許文献１】特許第３５４１５４０号公報
【発明の開示】
【発明が解決しようとする課題】
【０００４】
このような圧接ジョイントコネクタにおいては、分岐数の増加や車内での配設状況等により、圧接端子を収容したハウジングを電線方向に一対配設して、ハウジングの間に架設される任意の電線を切断して分岐回路を形成することがある。しかし、ハウジング間で切断した電線の端部が露出状態でそのまま放置されるため、フリー状態となる当該端部がハウジング間で揺動しやすくなり、内部導体の端面が車両ボディやその他の搭載部品、工具等の金属部品と接触して回路をショートさせるおそれがある。また、隣接する電線同士が切断されると、電線間で内部導体が接触して回路をショートさせるおそれも生じる。
【０００５】
そこで、本発明は、ハウジング間で電線を切断する場合であっても、切断した電線に起因するショートを効果的に防止できる電線布線体と電線布線方法とを提供することを目的としたものである。
【課題を解決するための手段】
【０００６】
上記目的を達成するために、請求項１に記載の発明は、圧接端子が夫々収容された一対のハウジング間に、複数の電線が略平行に布線されて所定の圧接端子に圧接固定され、ハウジング間で所定の電線が切断されて分岐回路が形成される、圧接ジョイントコネクタによって配線される電線布線体であって、切断された電線の端部では、内部導体の端部が絶縁被覆の端部よりも内側に位置していることを特徴とするものである。
上記目的を達成するために、請求項２に記載の発明は、ワイヤハーネスの布線板上に、圧接端子を夫々収容した一対のハウジングからなる圧接ジョイントコネクタをセットし、ハウジング間に複数の電線を略平行に布線して夫々圧接端子に圧接固定し、ハウジング間で所定の電線を切断して分岐回路を形成する電線布線方法であって、一対のハウジング間において、切断される電線の絶縁被覆のみを切断し、切断した絶縁被覆を夫々両側のハウジング側へ収縮させることで内部導体を露出させ、露出させた内部導体を所定長さ切除した後、両ハウジング側の絶縁被覆を夫々元の長さに伸ばすことを特徴とするものである。
上記目的を達成するために、請求項３に記載の発明は、ワイヤハーネスの布線板上に、圧接端子を夫々収容した一対のハウジングからなる圧接ジョイントコネクタをセットし、ハウジング間に複数の電線を略平行に布線して夫々圧接端子に圧接固定し、ハウジング間で所定の電線を切断して分岐回路を形成する電線布線方法であって、切断される電線を一対のハウジングの中間部位で切断し、切断した電線の各端部において絶縁被覆を夫々ハウジング側へ収縮させることで内部導体を露出させ、露出させた内部導体を夫々所定長さ切除した後、両ハウジング側の絶縁被覆を夫々元の長さに伸ばすことを特徴とするものである。
上記目的を達成するために、請求項４に記載の発明は、ワイヤハーネスの布線板上に、圧接端子を夫々収容した一対のハウジングからなる圧接ジョイントコネクタをセットし、記ハウジング間に複数の電線を略平行に布線して夫々前記圧接端子に圧接固定し、ハウジング間で所定の電線を切断して分岐回路を形成する電線布線方法であって、一対のハウジング間において、切断される電線の絶縁被覆を、夫々両側のハウジング側へ引張し、当該引張部分で電線を所定長さ切除した後、両ハウジング側の絶縁被覆を夫々元の長さに戻すことを特徴とするものである。
【発明の効果】
【０００７】
本発明によれば、切断された電線の端部では、内部導体の端部が絶縁被覆の端部よりも内側に位置して、絶縁被覆によって保護される格好となる。よって、内部導体が車両ボディやその他の搭載部品等に接触したり、内部導体同士が接触したりするおそれがなく、ハウジング間で電線を切断する場合であっても、切断した電線に起因するショートを効果的に防止可能となる。また、切断した電線の保護に他の部材を用いないので、構造が簡略化し、コストアップが抑えられると共に、ハウジングからの突出部分もなくなって取扱い性にも優れる。
特に、請求項２，３の電線布線方法によれば、絶縁被覆が除去された内部導体のみが切除されるため、内部導体の廃棄処理やリサイクルが容易に行える利点がある。また、請求項４の電線布線方法によれば、切断工程が一回で済むため、他の方法に比べて布線に係る作業時間が短縮され、請求項１の電線布線体が簡単に得られる利点がある。
【発明を実施するための最良の形態】
【０００８】
以下、本発明の実施の形態を図面に基づいて説明する。
［形態１］
図１は、圧接ジョイントコネクタの一例を示す斜視図で、この圧接ジョイントコネクタ１は、第１ハウジング２と第２ハウジング３とを備え、各ハウジング２，３は、複数の電線６，６・・が布線されるプレート４と、そのプレート４の上方に組み付けられるカバー５とから形成されている。
プレート４は、底板に互いに平行な複数の仕切壁７，７・・を等間隔で立設して、上面に、電線６布線方向の前後端を開放させた複数の収容溝８，８・・を形成している。カバー５は、プレート４への組み付け状態で、収容溝８の前後端を除いてプレート４の上面と、収容溝８と平行な側面とを覆う底辺のない長方形状となっている。
【０００９】
また、各プレート４上には、複数の圧接端子９が夫々３個ずつ電線６との直交方向へ並列配置されている。この圧接端子９は、図２（Ａ）の如く、Ｕ字状の電線６の受け刃１１，１１を夫々収容溝８の形成方向に一対形成して収容溝８に嵌合する端子金具１０，１０を、連結部１２，１２によって電線６との直交方向に隣接する同士で連結した二連端子となっている（以下、この圧接端子を「二連端子」という）。二連端子９の両端には、同図（Ｂ）に示すように、電線６の絶縁被覆をかしめ固定する一対のインシュレーションバレル１３，１３が夫々立設されている。
さらに、二連端子９は、第１、第２ハウジング２，３のプレート４，４間で電線１本分ずれて対向するように千鳥状に配置されている。よって、図１での第１ハウジング２側のプレート４における手前側の収容溝８と、第２ハウジング３側のプレート４における奥側の収容溝８とは、二連端子９がないスルー部１４となっている。
【００１０】
以上の如く構成された圧接ジョイントコネクタ１においては、電線６を布線する場合、夫々二連端子９を千鳥状に配置した両プレート４，４を図示しない布線板上にセットした後、電線６を、夫々対応する分岐回路を形成するように両プレート４，４の二連端子９，９間に配線して位置決めし、端子金具１０に圧接する。すると、図３に示すように、第１、第２ハウジング２，３間に圧接された電線６，６・・が架設された状態となる。
【００１１】
この状態で、図４（Ａ）に示すように、両ハウジング２，３間に架設される所定の電線６の中間部位（Ｃ１部）で、まず絶縁被覆１５のみを治具等を用いて切断する。
次に、切断して両ハウジング２，３側に分離される各絶縁被覆１５，１５を、夫々両側へ寄せるようにして収縮させ、中央に内部導体１６を露出させる（同図（Ｂ））。この状態で、同図（Ｃ）に示すように、各絶縁被覆１５寄りの両側２箇所（Ｃ２部）を切断して内部導体１６を所定長さ切除する。
そして、両側へ収縮させていた絶縁被覆１５，１５を元の長さに伸ばせば、同図（Ｄ）に示すように、絶縁被覆１５，１５は夫々切断された内部導体１６の端部を越えて両ハウジング２，３の中間部位まで伸びるため、内部導体１６が絶縁被覆１５によって覆われた電線布線体が得られる。
【００１２】
このように、上記形態１の電線布線体及び電線布線方法によれば、切断される電線６の絶縁被覆１５のみを切断し、切断した絶縁被覆１５を夫々両側のハウジング２，３側へ収縮させることで内部導体１６を露出させ、露出させた内部導体１６を所定長さ切除した後、両ハウジング２，３側の絶縁被覆１５を夫々元の長さに伸ばすようにしたことで、両ハウジング２，３間で切断した電線６の端部では、内部導体１６の端部が絶縁被覆１５の端部よりも内側に位置して絶縁被覆１５によって保護される格好となる。よって、内部導体１６が車両ボディやその他の搭載部品等に接触したり、内部導体１６同士が接触したりするおそれがなく、ハウジング２，３間で電線６を切断する場合であっても、切断した電線６に起因するショートを効果的に防止可能となる。また、切断した電線６の保護に他の部材を用いないので、構造が簡略化し、コストアップが抑えられると共に、ハウジング２，３からの突出部分もなくなって取扱い性にも優れる。特に本形態では、絶縁被覆１５が除去された内部導体１６のみが切除されるため、内部導体１６の廃棄処理やリサイクルが容易に行える利点がある。
【００１３】
以下、本発明の他の形態を説明する。但し、圧接ジョイントコネクタの構造は上記形態１と同じであるため、重複する説明は省略し、電線布線方法における電線の切断手順に係る構成を主に説明する。
［形態２］
形態１と同様に第１、第２ハウジング２，３間に電線６，６・・を圧接した後、図５（Ａ）に示すように、まず所定の電線６の中間部位（Ｃ１部）を切断する。
次に、切断して両ハウジング２，３側に分離される各電線の端部において、絶縁被覆１５を、夫々両側へ寄せるようにして収縮させ、夫々内部導体１６，１６を露出させる（同図（Ｂ））。この状態で、同図（Ｃ）に示すように、各絶縁被覆１５寄りの箇所（Ｃ２部）で夫々内部導体１６を切断する。
そして、両側へ収縮させていた絶縁被覆１５，１５を元の長さに伸ばせば、同図（Ｄ）に示すように、絶縁被覆１５，１５は切断された内部導体１６の端部を越えてプレート４，４間の中間部位まで伸びるため、内部導体１６が絶縁被覆１５によって覆われた電線布線体が得られる。
【００１４】
このように、上記形態２の電線布線体及び電線布線方法においても、切断される電線６を中間部位で切断し、切断した電線６の各端部において絶縁被覆１５を夫々ハウジング２，３側へ収縮させることで内部導体１６を露出させ、露出させた内部導体１６，１６を夫々所定長さ切除した後、両ハウジング２，３側の絶縁被覆１５を夫々元の長さに伸ばすようにしたことで、両ハウジング２，３間で切断した電線６の端部では、内部導体１６の端部が絶縁被覆１５の端部よりも内側に位置して絶縁被覆１５によって保護される格好となる。よって、切断した電線６に起因するショートを効果的に防止可能となると共に、構造の簡略化によるコストアップの抑制や取扱い性の向上、さらには内部導体１６のみの切除による廃棄処理やリサイクルの至便といった形態１と同様の効果が得られる。
【００１５】
［形態３］
形態１，２と同様に第１、第２ハウジング２，３間に電線６，６・・を圧接した後、図６（Ａ）に示すように、まず所定の電線６の中間部位において、外側の絶縁被覆１５を夫々両側へ広げるようにして引張し、両側に絶縁被覆１５を片寄せる。
次に、絶縁被覆１５を引張した状態で、同図（Ｂ）に示すように、当該引張部分の電線６を二箇所（Ｃ１部）で切断して所定の長さ切除する。
そして、電線６の両端部において、両側へ引張していた絶縁被覆１５を中間側へ夫々伸ばせば、同図（Ｃ）に示すように、絶縁被覆１５は切断された内部導体１６の端部を越えてプレート４，４間の中間部位まで伸びるため、内部導体１６が絶縁被覆１５によって覆われた電線布線体が得られる。
【００１６】
このように、上記形態３の電線布線体及び電線布線方法においても、切断される電線６の絶縁被覆１５を、夫々両側のハウジング２，３側へ引張し、当該引張部分で電線６を所定長さ切除した後、両ハウジング２，３側の絶縁被覆１５を夫々元の長さに戻すようにしたことで、両ハウジング２，３間で切断した電線６の端部では、内部導体１６の端部が絶縁被覆１５の端部よりも内側に位置して絶縁被覆１５によって保護される格好となる。よって、切断した電線６に起因するショートを効果的に防止可能となると共に、構造の簡略化によるコストアップの抑制や取扱い性の向上といった形態１，２と同様に効果が得られる。特に、本形態では、切断工程が一回で済むため、他の方法に比べて布線に係る作業時間が短縮され、電線布線体が簡単に得られる利点がある。
【００１７】
なお、各ハウジングにおける収容溝や二連端子の数は上記形態に限らず、電線の数や分岐回路の形態に合わせて適宜増減して差し支えない。勿論ハウジング間で収容溝及び二連端子の数が一致している必要はなく、タイプの異なるハウジングを有する圧接ジョイントコネクタであっても本発明は適用可能である。
一方、用いる端子は二連端子に限らず、三連、四連等の多連端子でもよい。また、ずれは一本分に限らず、二本分以上であってもよい。さらに、端子の配置は千鳥状に限らず、部分的に千鳥状であったり、ストレートであったり、中間で抜けていたり等、配線の設計に応じて変更が可能である。
【図面の簡単な説明】
【００１８】
【図１】形態１の圧接ジョイントコネクタの分解斜視図である。
【図２】（Ａ）は形態１の二連端子の斜視図、（Ｂ）は電線の圧接状態を示す。
【図３】形態１の圧接ジョイントコネクタの組付け後の斜視図である（電線切断前）。
【図４】（Ａ）〜（Ｄ）は形態１の電線の切断手順を示す説明図である。
【図５】（Ａ）〜（Ｄ）は形態２の電線の切断手順を示す説明図である。
【図６】（Ａ）〜（Ｃ）は形態３の電線の切断手順を示す説明図である。
【符号の説明】
【００１９】
１・・圧接ジョイントコネクタ、２・・第１ハウジング、３・・第２ハウジング、４・・プレート、５・・カバー、６・・電線、７・・仕切壁、８・・収容溝、９・・圧接端子（二連端子）、１０・・端子金具、１５・・絶縁被覆、１６・・内部導体。
【図１】
2009301949.tif 000003
【図２】
2009301949.tif 000004
【図３】
2009301949.tif 000005
【図４】
2009301949.tif 000006
【図５】
2009301949.tif 000007
【図６】
2009301949.tif 000008